(57)【要約】【課題】視聴者の健康が損なわれることを回避しつつ、再生画像シーンの消失やスロー再生による時間軸の変化や視聴時間の変化がなく再生画像を視聴することが可能となる画像再生装置を提供する。【解決手段】映像信号を入力する入力手段（映像入力部１０１）と、入力手段により入力された映像信号の揺れ量を検出する検出手段（揺れ検出部１０２）とを備える。また、検出手段の検出結果に応じて映像信号の画像サイズを決定する決定手段（画像サイズ決定部１０３）と、入力手段により入力された映像信号を記憶、読み出しする記憶手段（画像メマリ１０４）とを備える。また、決定手段により決定された画像サイズに、記憶手段より読み出された映像信号の画像サイズを変更する変更手段（画像サイズ変更部１０５）と、変更手段により変更された画像サイズの画像を表示する表示手段（モニタ１０６）とを備える。【選択図】図１
2009296538.tif 000002
【特許請求の範囲】
【請求項１】
映像信号を入力する入力手段と、
前記入力手段により入力された前記映像信号の揺れ量を検出する検出手段と、
前記検出手段の検出結果に応じて前記映像信号の画像サイズを決定する決定手段と、
前記入力手段により入力された前記映像信号を記憶、読み出しする記憶手段と、
前記決定手段により決定された前記画像サイズに、前記記憶手段より読み出された前記映像信号の前記画像サイズを変更する変更手段と、
前記変更手段により変更された前記画像サイズの画像を表示する表示手段と、
を備えることを特徴とする画像再生装置。
【請求項２】
画像を撮像する撮像手段と、
前記撮像手段の揺れを検出する揺れ検出手段と、
前記揺れ検出手段の検出結果に応じて前記撮像手段から出力される映像信号の画像サイズを決定する決定手段と、
前記決定手段により決定された前記画像サイズに前記映像信号の前記画像サイズを変更する変更手段と、
前記変更手段により変更された前記画像サイズの画像を表示する表示手段と、
を備えることを特徴とする画像再生装置。
【請求項３】
前記決定手段は、前記揺れ検出手段の検出結果に応じて１倍から１／６倍までの範囲で倍率を決定することを特徴とする請求項２記載の画像再生装置。
【請求項４】
前記揺れ検出手段は角速度、あるいは加速度センサであることを特徴とする請求項２記載の画像再生装置。
【請求項５】
画像を撮像する撮像手段と、
前記撮像手段の揺れを検出する揺れ検出手段と、
前記揺れ検出手段の検出結果に応じて前記撮像手段から出力される映像信号の画像サイズを決定する決定手段と、
前記決定手段により決定された前記画像サイズに前記映像信号の前記画像サイズを変更する変更手段と、
前記変更手段により変更された前記画像サイズの画像を表示する表示手段と、
を備えることを特徴とする撮像装置。
【発明の詳細な説明】
【技術分野】
【０００１】
本発明は、画像再生装置及び撮像装置に関する。
【背景技術】
【０００２】
従来、民生用の動画記録再生装置においては、ＮＴＳＣ等の記録フォーマットに基づいたＳＤ（スタンダードディフィニション）の記録方式が一般的であり、撮像画像の再生についても４：３のアスペクト比のモニタが用いられていた。
【０００３】
しかし、近年においては、情報量が４倍以上の１６：９の映像アスペクト比であるＨＤ（ハイディフィニション）の記録方式が、ＨＤ方式のＴＶ放送の普及に伴い、普及しており、個人で手軽にＨＤ画質による動画の記録・再生が可能になってきた。
【０００４】
ＨＤ画質による動画の記録再生は、上記のように、情報量が従来のそれより多く、その特徴を発揮する上でも、従来に比べて大画面を用いた広視野角を前提とする視聴が行われている。
【０００５】
そのため、記録画像に揺れが生じている場合には、揺れによる影響が従来のＳＤの視聴環境に比べて非常に大きくなっており、視聴画像（映像）の揺れの大きさによっては、視聴者の気分を害する虞があり、また、映像酔いや吐き気、頭痛等に至る場合もある。
【０００６】
これに対して、大きな揺れに対応し、動画像の再生時における揺れ画像の再生を停止する、あるいは瞬時動画の紙芝居のように記録された動画を再生する技術が提案されている（特許文献１）。
【０００７】
また、急激な画像移動の無い再生画像を画像処理により得る、あるいは対象画像をスロー再生する技術が提案されている（特許文献２）。
【特許文献１】特開２００７−１３４８２２号公報
【特許文献２】特開平４−３１２０７４号公報
【発明の開示】
【発明が解決しようとする課題】
【０００８】
しかしながら、上記特許文献１に提案の技術においては、揺れの大きなシーンの画像が見られなくなり、カメラ撮影初心者が撮影したようなカメラの揺れが頻発するような動画像においては、再生されるシーンが少なくなってしまうという問題がある。
【０００９】
また、上記特許文献２に提案の技術においては、揺れの大きいシーンのみスロー再生となってしまうため、実時間と再生画像の時間経過が異なってしまうという問題がある。また、カメラ撮影初心者が撮影したようなカメラの揺れが頻発するような動画像においては、多くのシーンでスロー再生となってしまい視聴時間が増えるという問題がある。
【００１０】
本発明の目的は、視聴者の健康が損なわれることを回避しつつ、再生画像シーンの消失やスロー再生による時間軸の変化や視聴時間の変化がなく再生画像を視聴することが可能となる画像再生装置及び撮像装置を提供することにある。
【課題を解決するための手段】
【００１１】
上記目的を達成するために、請求項１記載の画像再生装置は、映像信号を入力する入力手段と、前記入力手段により入力された前記映像信号の揺れ量を検出する検出手段と、前記検出手段の検出結果に応じて前記映像信号の画像サイズを決定する決定手段と、前記入力手段により入力された前記映像信号を記憶、読み出しする記憶手段と、前記決定手段により決定された前記画像サイズに、前記記憶手段より読み出された前記映像信号の前記画像サイズを変更する変更手段と、前記変更手段により変更された前記画像サイズの画像を表示する表示手段とを備えることを特徴とする。
【００１２】
請求項２記載の画像再生装置は、画像を撮像する撮像手段と、前記撮像手段の揺れを検出する揺れ検出手段と、前記揺れ検出手段の検出結果に応じて前記撮像手段から出力される映像信号の画像サイズを決定する決定手段と、前記決定手段により決定された前記画像サイズに前記映像信号の前記画像サイズを変更する変更手段と、前記変更手段により変更された前記画像サイズの画像を表示する表示手段とを備えることを特徴とする。
【００１３】
請求項５記載の撮像装置は、画像を撮像する撮像手段と、前記撮像手段の揺れを検出する揺れ検出手段と、前記揺れ検出手段の検出結果に応じて前記撮像手段から出力される映像信号の画像サイズを決定する決定手段と、前記決定手段により決定された前記画像サイズに前記映像信号の前記画像サイズを変更する変更手段と、前記変更手段により変更された前記画像サイズの画像を表示する表示手段とを備えることを特徴とする。
【発明の効果】
【００１４】
本発明の画像再生装置によれば、視聴者の健康が損なわれることを回避しつつ、再生画像シーンの消失やスロー再生による時間軸の変化や視聴時間の変化がなく再生画像を視聴することが可能となる。
【発明を実施するための最良の形態】
【００１５】
以下、本発明の実施の形態を図面を参照しながら詳細に説明する。
【００１６】
（第１の実施の形態）
図１は、本発明の第１の実施の形態に係る画像再生装置の構成を示すブロック図である。
【００１７】
図１において、映像入力部１０１は、ＨＤ等の標準動画映像を電気信号として入力するための入力端子、あるいは何らかの記録媒体に記録されたＨＤ動画映像を電気信号として変換再生するプレーヤで構成される。
【００１８】
映像入力部１０１は、映像信号を入力する入力手段として機能する。
【００１９】
揺れ検出部１０２は、映像入力部１０１により入力された映像信号より映像の時間軸に対する移動量、即ち、映像の揺れ量を求める。
【００２０】
揺れ検出部１０２は、入力手段により入力された映像信号の揺れ量を検出する検出手段として機能する。
【００２１】
画像サイズ決定部１０３は、揺れ検出部１０２より得られた揺れ量に基づき再生画像の画像サイズを決定する。
【００２２】
画像サイズ決定部１０３は、検出手段の検出結果に応じて映像信号の画像サイズを決定する決定手段として機能する。
【００２３】
画像メモリ１０４は、映像入力部１０１より入力された映像信号の記憶、読み出しを同時に行う。
【００２４】
画像メモリ１０４は、入力手段により入力された映像信号を記憶、読み出しする記憶手段として機能する。
【００２５】
画像サイズ変更部１０５は、画像サイズ決定部１０３にて決定された画像サイズに基づき、画像メモリ１０４より読み出された映像信号の画像サイズを変更する。
【００２６】
画像サイズ変更部１０５は、決定手段により決定された画像サイズに、記憶手段より読み出された映像信号の画像サイズを変更する変更手段として機能する。
【００２７】
モニタ１０６は、サイズが変更された画像を再生表示する。
【００２８】
モニタ１０６は、変更手段により変更された画像サイズの画像を表示する表示手段として機能する。
【００２９】
次に、一部重複するが上記各部を詳細に説明する。
【００３０】
映像入力部１０１より入力されたＨＤ映像信号等の標準動画映像信号は、映像（画像）の時間軸に対する揺れ量を検出すべく揺れ検出部１０２に入力される。
【００３１】
揺れ検出部１０２では、後述のように映像に含まれる特徴点のフレーム間の位置変化等より映像の移動量、即ち映像の揺れ量を求める。
【００３２】
画像サイズ決定部１０３は、揺れ検出部１０２より求められた揺れ量に応じた映像の縮尺サイズを決定する。
【００３３】
縮尺サイズの決定に際し、例えば、ＨＤ画像の解像度を前提とした場合、再生される画像を視聴する視聴者の視野角がＨＤ画像の半分である２０ｄｅｇ以下となるように、約１／４倍〜１／６倍程度の画像サイズを最小縮尺値とする。そして、揺れの量に応じ１倍の縮尺から上記値の間で決定する。
【００３４】
揺れ量と縮尺倍率との関係は、同じように、例えば、ＨＤ映像を前提とした場合に、秒間当たりの映像移動量の積算が表示画面上（モニタ表示上）のサイズの２倍を超える場合に、画像サイズの最小値である１／６となるように設定すればよい。
【００３５】
一般的にＨＤ画像を視聴する際の視野角は、４０ｄｅｇ〜２５ｄｅｇが適当な視野の広さとなるように設定されている。また、この視野角は、映画のスクリーンの視野角５５ｄｅｇ〜３５ｄｅｇに近く、視聴者はＴＶを見ている感覚から離れ、描画されている画像と十分一体感を得られる視野角となると言われている。
【００３６】
これに対し、従来、ＳＤでは情報量が少ないために、視野角を広く取ったとしても２０ｄｅｇ程度が一般的な視聴状態であると言える。
【００３７】
また、表示画素数についてもＨＤ：ＳＤの比率は４〜６倍程度であり、これらのことから、上記に示した１／４〜１／６程度のサイズ変更が許容できる縮尺最小値として適当と考える。
【００３８】
一方、揺れ量については、視野角上、１０ｄｅｇ以上の動きが生じると視聴者に影響を与える。また、その周波数においては、カメラの移動や手振れ周波数の低域成分の揺れに含まれる０.５Ｈｚ〜２Ｈｚ程度の周波数成分が映像安全上視聴者に影響を与えやすい周波数と言われている。
【００３９】
上記揺れ量より、例えば、視野角１０ｄｅｇの動きが０．５Ｈｚで生じるとすると、移動量の絶対値を単位時間当たりで積算すると１０ｄｅｇ／ｓの移動量となる。同様に、視野角１０ｄｅｇの動きが２Ｈｚで生じるとすると、移動量の絶対値を単位時間当たりで積算すると４０ｄｅｇ／ｓの移動量となる。
【００４０】
上記の例において、画像サイズ決定部１０３の揺れ量（単位時間当たりの揺れ量の絶対値）に対する縮尺率のグラフを図２に示す。
【００４１】
同グラフは、４０ｄｅｇ相当の視野角が得られる視聴条件において、上述のような動画像の揺れが生じたときの画像サイズ決定部１０３の動作を説明するものである。
【００４２】
同グラフの横軸は揺れ量の大きさを示す、ここでは、単位時間当たりの揺れ量の絶対値である。また、縦軸は表示画面の縮尺率を示す。
【００４３】
映像の揺れ量が大きくなり、単位時間当たりの揺れ量の絶対値が１０ｄｅｇ／ｓ相当となると、グラフ２０１のように、表示画面の縮尺を徐々に小さくしていく。
【００４４】
さらに、単位時間当たりの揺れ量の絶対値が増加していくに連れ、表示画面の縮尺率もそれに伴い小さくし、４０ｄｅｇ／ｓ相当で１／６の縮尺率となる。
【００４５】
それ以上の揺れが加わったとしても縮尺率は１／６のままとする。これは４０ｄｅｇ／ｓの映像の振れは映像が確認できない程の量であり、且つその揺れ（振れ）が継続することが少ないからである。
【００４６】
尚、同グラフの特性は便宜上、視野角を用いて説明しているが、モニタ１０６の画面サイズに置き換えることも可能である。モニタ１０６のサイズに置き換えた場合には、１００インチ相当を３.７ｍ前後の距離で視聴すると丁度４０ｄｅｇ相当の視野角となる。
【００４７】
また、４０ｄｅｇ／ｓ相当の画像揺れが生じた場合には、視野角を１／６とするため、約１７インチ相当の表示画面サイズに画像サイズを設定すればよいこととなる。
【００４８】
映像入力部１０１より入力された映像信号は、画像メモリ１０４に入力される。画像メモリ１０４は、入力された映像信号を所定時間遅延し出力するものである。画像メモリ１０４にて遅延され出力された遅延映像信号は、画像サイズ変更部１０５に入力される。
【００４９】
画像サイズ変更部１０５は、画像サイズ決定部１０３にて決定された縮尺率に基づき、入力された映像信号を縮尺処理する手段である。
【００５０】
縮小は、画像データを間引くことにより容易に行うことができる。また、縮小対象となる複数画素の平均値を求め、１つの代表画素とする縮小方法を用いることもできる。
【００５１】
上述の縮小処理により縮尺率を変更された映像信号はモニタ１０６にて表示される。
【００５２】
画像メモリ１０４により映像信号の遅延時間は、入力された映像信号より揺れ量を抽出、及び縮尺の決定をモニタ表示より前に行う必要があるため、少なくとも揺れ量の抽出及び縮尺の決定に要する時間以上が必要となる。
【００５３】
また、この際、不図示ではあるが、同時に音声が再生される場合においては、映像の遅延量と同量の音声遅延を行うための音声メモリも必要となる。
【００５４】
ここで、揺れ検出部１０２について説明する。
【００５５】
揺れ検出部１０２は、入力された映像信号の特徴点を抽出し、その画像における座標位置を求め、動画として連続する画像においてその特異点の移動を抽出するものである。
【００５６】
例えば、図３に示すように、ある画像フレーム３０１ａにおいて人物３１１ａが建物３１２ａや木３１３ａを背景にして立っている動画像を撮影した映像が入力された場合を考える。
【００５７】
連続する動画像のフレームがフレーム３０１ｂに示すように、手振れ等により画像フレーム３０１ａに対して構図のずれた画像が動画として連続して撮影されることがある。
【００５８】
尚、ここではフレーム３０１ｂを説明の便宜上表記しているが、実際に撮影される領域はフレーム３０１ａにほかならない。
【００５９】
揺れ検出部１０２は、例えば、撮像画像内にある建物３１２ａのうち輝度の高い点である窓３２１ａのエッジをエッジ検出により特徴点３２２ａとして取り出し、この特徴点３２２ａと、フレーム３０１ｂにおける特徴点３２２ｂと比較する。そして、この差分を揺れ量として求める。即ち、矢印３２３のベクトルで示す量が検出される揺れ量となる。
【００６０】
尚、本実施の形態において、揺れ検出部１０２を、特徴点抽出を用いた例を挙げて説明したが、マップマッチング等の他の揺れ検出手法を用いた揺れ検出手段であっても差し支えない。
【００６１】
以上のように、本発明の実施の形態の画像再生装置は、入力された映像の揺れ量の大きさに応じ、再生画像の再生サイズを縮小し、モニタ等の再生装置に出力することにより、視聴者の視野角に占める再生動画サイズを狭くする。
【００６２】
このことにより、映像安全上の課題である視聴者の気分を害したり、映像酔いや吐き気、頭痛等に陥る状況を軽減すると共に、再生画像シーンの消失やスロー再生による時間軸の変化や視聴時間の変化をなくして、再生画像を視聴することが可能となる。
【００６３】
（第２の実施の形態）
図４は、本発明の第２の実施の形態に係る画像再生装置としての撮像装置の構成を示すブロック図である。
【００６４】
本撮像装置は、撮影（撮像）時に撮像装置の揺れ情報を取得し、その揺れ情報を画像（撮像画像）と同時に記録し、撮像画像を再生する際に、撮像画像と同時に記録した揺れ情報より表示画像サイズを決定し、画像サイズを変更した後、モニタに表示する。
【００６５】
本撮像装置は、撮像レンズ４０１、撮像レンズ４０１にて結像された画像を光電変換するＣＣＤ等の撮像素子４０２、撮像素子４０２により得られた撮像信号を標準ＨＤビデオ信号等に変換するカメラ信号（動画像信号）処理部４０３を備える。
【００６６】
撮像素子４０２は、画像を撮像する撮像手段として機能する。
【００６７】
また、本撮像装置は、撮像装置に固定され、撮像装置の揺れを検出するためのジャイロセンサ４０４、ジャイロセンサ４０４の揺れ量と焦点距離に基づき撮像画の揺れ量を求める揺れ量検出部４０５を備える。
【００６８】
揺れ量検出部４０５は、撮像手段の揺れを検出する揺れ検出手段として機能する。
【００６９】
また、本撮像装置は、カメラ信号処理部４０３より得られる標準ＨＤビデオ信号と、揺れ量検出部４０５より得られる揺れ量情報を同時に記録するレコーダ４０６を備える。
【００７０】
また、本撮像装置は、レコーダ４０６の再生時に再生映像信号と同時に得られる再生揺れ量情報に基づき再生画像の画像サイズを決定する画像サイズ決定部４０７を備える。
【００７１】
画像サイズ決定部４０７は、揺れ検出手段の検出結果に応じて撮像手段から出力される映像信号の画像サイズを決定する決定手段として機能する。決定手段は、揺れ検出手段の検出結果に応じて１倍から１／６倍までの範囲で倍率を決定する。
【００７２】
また、本撮像装置は、画像サイズ決定部４０７にて決定された画像サイズに基づき、レコーダ４０６より出力される再生映像信号の画像サイズを変換する画像サイズ変更部４０８を備える。
【００７３】
画像サイズ変更部４０８は、決定手段により決定された画像サイズに映像信号の画像サイズを変更する変更手段として機能する。
【００７４】
また、本撮像装置は、表示装置であるモニタ４０９、撮影者の意図により撮影倍率の変更が可能な変倍レンズ４１０、変倍レンズ４１０の変倍率である、いわゆる焦点距離を検出する焦点距離エンコーダ４１１を備える。
【００７５】
モニタ４０９は、変更手段により変更された画像サイズの画像を表示する表示手段として機能する。
【００７６】
次に撮影、再生時のそれぞれにおける各部の動作を説明する。
【００７７】
まず、カメラ撮影時の動作を説明する。
【００７８】
撮影レンズ４０１より入射した光束（撮影光）は、変倍レンズ４１１を通じ、撮像素子４０２に結像される。
【００７９】
撮像素子４０２から出力される映像信号は、例えば、不図示のＡ／Ｄ変換器によりデジタル信号に変更されてカメラ信号処理部４０３に入力される。
【００８０】
カメラ信号処理部４０３は、入力された撮像信号に対して、輝度信号や色信号を形成する等の信号処理を行って標準的なＨＤ映像信号を形成する。
【００８１】
一方、撮像装置に固定されたジャイロセンサ４０４は、撮像装置の揺れを検出するために設けられており、撮像装置の角速度に応じた揺れ信号を出力する。また、焦点距離エンコーダ４１１は、撮影時の変倍レンズ４１０の焦点距離を検出する。
【００８２】
揺れ量検出部４０５は、ジャイロセンサ４０４より得られる揺れ信号と、焦点距離エンコーダ４１１から得られる焦点距離情報から、撮影時の撮像画像の揺れ量を求める。
【００８３】
例えば、焦点距離が３５ｍｍ銀塩フィルムの標準焦点距離である５０ｍｍを基準として考えると、焦点距離が２倍の１００ｍｍとなることにより撮像画像の移動量である撮像画像の揺れ量は２倍となる。反対に、焦点距離が１／２倍になると、撮像画像の揺れ量は１／２倍となる関係がある。
【００８４】
カメラ信号処理部４０３より得られた映像信号と、揺れ量検出部４０５より得られた撮像画像の揺れ量情報は、共にレコーダ４０６に同時に記録される。
【００８５】
次に、撮像画像（映像）を再生する際の動作を説明する。
【００８６】
レコーダ４０６に記録された撮像画像を再生すると、記録された映像信号が再生映像信号としてモニタ４０９に再生され、また、同時に記録された揺れ量情報も再生される。
【００８７】
読み出された再生揺れ量情報は、画像サイズ決定部４０７にて揺れ量に応じた縮尺率が決定される。
【００８８】
焦点距離及び揺れ量、縮尺率との関係を図５に示すグラフを用いて説明する。
【００８９】
同グラフの横軸は揺れ量の大きさを示す、ここでは、ジャイロセンサ４０４より得られる単位時間当たりの揺れ量である。また縦軸は表示画面の縮尺率を示す。
【００９０】
撮像画像の揺れ量が大きくなるに従い、表示画面の縮尺を徐々に小さくする動作自体は図１の画像再生装置と同様である。本実施の形態においては、揺れ量情報自体を映像信号と共にレコーダ４０６に記録していることは上述した通りであり、説明の便宜上、焦点距離及び揺れ量、縮尺率の関係に絞ったグラフとしている。
【００９１】
ここで、標準焦点距離５０ｍｍとし、その時の単位時間当たりの撮像画の揺れ量が１０ｄｅｇ／ｓを基準とすれば、同グラフにおいて特性５０１となる。また、撮影者の意図により焦点距離を１００ｍｍに設定した場合には、焦点距離が２倍になることから撮像画像の揺れ量は２倍となるため、基準となる特性５０１より縮尺変更点の揺れ量が１／２倍、その傾きは２倍となる特性５０２となる。
【００９２】
反対に、焦点距離を１／２倍に設定すれば、基準となる特性５０１より縮尺変更点の揺れ量が２倍、その傾きは１／２倍となる特性５０３となる。
【００９３】
再生映像信号は、画像サイズ変更部４０８に入力される。画像サイズ変更部４０８は、図１の画像再生装置と同様に、画像サイズ決定部４０７にて決定された縮尺率に基づき、入力された再生映像信号を縮尺処理する手段である。
【００９４】
縮小は、画像データを間引くことにより容易に行うことができる。また、縮小対象となる複数画素の平均値を求め、１つの代表画素とする縮小方法を用いることもできる。
【００９５】
さらに、再生時に、再生揺れ量情報を映像信号に対して先に読み出し、画像サイズ決定部４０７にて、撮影シーン毎に揺れ量情報の最大値を抽出しその揺れ量に応じた縮尺率を選択する。このことにより、連続撮影シーンにおいて縮尺率が一定の状態で再生することが可能となる。
【００９６】
具体的な動作を図６のタイムチャートを用いて説明する。
【００９７】
同チャートにおいて、横軸は撮影時の時間、縦軸は撮影時の揺れ情報である。
【００９８】
各撮影時に生じた揺れ情報６０１〜６０４、揺れ情報の最大値６１１〜６１４、各撮影シーンの区切り６２１〜６２４が示される。
【００９９】
例えば、揺れ情報６０１に着目すると、撮影開始時から撮影シーンの区切り６２１の時間までの揺れ情報の変化が示されており、当撮影１シーン分における揺れ情報の最大値６１１となる。
【０１００】
揺れ情報の最大値６１１〜６１４は、ピークホールド等の手段を用いれば実現でき、また、撮影の開始時に最大値をクリアし、記録終了時に揺れ情報としてレコーダ４０６に記録を行えばよい。
【０１０１】
また、再生時においては、記録シーンに対応した揺れ情報の最大値６１１〜６１４を先行して読み出し、再生サイズを再生サイズ決定部４０７、及び再生サイズ変更部４０８に設定した後に、対象となる再生画像を再生すればよい。
【０１０２】
上述の縮小処理により縮尺率を変更された映像信号はモニタ４０９にて表示される。
【０１０３】
尚、本実施の形態において、撮像装置の揺れを検出するために角速度センサであるジャイロセンサ４０４を用いて説明しているが、加速度センサであっても同様に揺れを検出することが可能である。
【０１０４】
以上のように第２の実施の形態の画像再生装置においては、撮影された映像信号の揺れ量の大きさに応じ、再生画像の再生サイズを縮小し、モニタ等の再生装置に出力することにより、視聴者の視野角に占める再生動画サイズを狭くする。
【０１０５】
このことにより、映像安全上の課題である視聴者の気分を害したり、映像酔いや吐き気、頭痛等に陥る状況を軽減すると共に、再生画像シーンの消失やスロー再生による時間軸の変化や視聴時間の変化をなくして再生画像を視聴することが可能となる。
【図面の簡単な説明】
【０１０６】
【図１】本発明の第１の実施の形態に係る画像再生装置の構成を示すブロック図である。
【図２】図１における画像サイズ決定部について説明するためのグラフである。
【図３】図１における揺れ検出部について説明するための図である。
【図４】本発明の第２の実施の形態に係る画像再生装置としての撮像装置の構成を示すブロック図である。
【図５】図４における揺れ量検出部及び、画像サイズ決定部について説明するためのグラフである。
【図６】図４における揺れ量検出部及び、画像サイズ決定部について説明するためのタイムチャートである。
【符号の説明】
【０１０７】
１０１  映像入力部
１０２  揺れ検出部
１０３  画像サイズ決定部
１０４  画像メモリ
１０５  画像サイズ変更部
１０６  モニタ
【図１】
2009296538.tif 000003
【図２】
2009296538.tif 000004
【図３】
2009296538.tif 000005
【図４】
2009296538.tif 000006
【図５】
2009296538.tif 000007
【図６】
2009296538.tif 000008